(57)【要約】  本発明による電気掃除機の集塵袋結合装置はほこり及び汚物を内部に捕集する集塵袋であって、一般のごみ袋を使うことができ、集塵袋を集塵装置の下部に装着するとか除去することが便利であるという利点を持つ。
2014516740.tif 000002
【特許請求の範囲】
【請求項１】
ほこり及び汚物を内部に捕集する集塵袋を集塵装置の下部に装着するための結合装置において、上部が集塵装置の下部と垂直に連通し、下部が開放した円筒状に形成され、下端部に垂直に挿入溝が形成されて内壁と外壁が備えられる上部カバー；
上部が開放した円筒状に形成され、側壁が前記挿入溝に挿入され、上部カバーの内壁下端部が内側収容空間の底面に接するように挿入される下部カバー；及び
前記上部カバーと下部カバーを固定するロック手段と；を含んでなり、
集塵袋が下部カバーの側壁上端部を覆って上部カバーの内壁と下部カバーの側壁の間に固定されることを特徴とする、電気掃除機の集塵袋結合装置。
【請求項２】
前記上部カバーと下部カバーが密閉して微細ほこりが排出されないように、前記挿入溝の内側にパッキングをさらに備えることを特徴とする、請求項１に記載の電気掃除機の集塵袋結合装置。
【請求項３】
前記ロック手段は脱着可能なクランプを使うことを特徴とする、請求項１に記載の電気掃除機の集塵袋結合装置。
【発明の詳細な説明】
【技術分野】
【０００１】
本発明は、電気掃除機のサイクロン集塵装置の下部に装着され、汚物及びほこりを収容する集塵袋を結合する装置に係り、より詳しくはほこり及び汚物を内部に捕集する集塵袋を集塵装置の下部に装着するための結合装置であって、上部が集塵装置の下部と垂直に連通し、下部が開放した円筒状に形成され、下端部に垂直に挿入溝が形成されて内壁と外壁が備えられる上部カバーと、上部が開放した円筒状に形成され、側壁が前記挿入溝に挿入され、上部カバーの内壁下端部が内側底面に接するように挿入される下部カバーと、前記上部カバーと下部カバーを固定するロック手段とを含んでなり、集塵袋が下部カバーの上端部を覆って上部カバーの内壁と下部カバーの側壁の間に固定されることを特徴とする電気掃除機の集塵袋結合装置に関するものである。
【０００２】
本出願は大韓民国特許出願第１０−２０１１−００５７９９９号に基づいて優先権を主張しながら出願するもので、前記特許出願の出願明細書に含まれた内容は本出願の明細書に含まれるものに理解されなければならない。
【背景技術】
【０００３】
一般に、電気掃除機は、インペラーが回転軸上に装着されたモーターが高速で回転することによって発生する本体の内部圧力と外部圧力の差による吸入力で外部から空気と共にほこり及びその他の汚染物質を強制で吸入させることにより、汚染した地域を掃除するようにするものである。このような電気掃除機は、吸入された空気から汚物を分離して収去する集塵装置を備えている。
【０００４】
このような電気掃除機用集塵装置としては、汚物投入口に空気とともにほこり及び汚物が流入して内部で空気とともに回転し、汚物は下部に落ち、側面または上部に空気だけ排出されるサイクロン集塵装置が広く使われているが、現在提供されているサイクロン集塵装置を用いた電気掃除機は、汚物を排出するために、サイクロン集塵装置の下部に集塵容器を備えて、集塵容器の内部に汚物を収去して捨てるか、あるいは専用集塵袋の内部にほこり及び汚物を保存して使用者が捨てるようにしている。
【０００５】
しかし、前記のように使用者が集塵容器の内部の汚物を捨てるために、集塵容器を開放し覆して捨てなければならない不便さがあり、衛生的な管理のために、集塵容器の内部を水で洗浄して乾かす過程を繰り返さなければならないので非常に煩わしい問題点があった。また、専用集塵袋を使うにあたっても専用集塵袋が使い捨てのものであって使用後に捨てなければならなく、さらに専用集塵袋を購買しなければならないことによって経済的損失が発生する欠点がある。
【発明の概要】
【発明が解決しようとする課題】
【０００６】
本発明は前記のような従来技術の問題点を解決するためになされたもので、集塵装置の下部に落下して流入する汚物が集塵容器の内部に結合された一般のごみ袋に収容されて、使用者が容易に集塵袋を分離して排出することができるようにする電気掃除機の集塵袋結合装置を提供することを目的とする。
【課題を解決するための手段】
【０００７】
前記のような目的を達成するために、本発明は、ほこり及び汚物を内部に捕集する集塵袋を集塵装置の下部に装着するための結合装置であって、上部が集塵装置の下部と垂直に連通し、下部が開放した円筒状に形成され、下端部に垂直に挿入溝が形成されて内壁と外壁が備えられる上部カバーと、上部が開放した円筒状に形成され、側壁が前記挿入溝に挿入され、上部カバーの内壁下端部が内側収容空間の底面に接するように挿入される下部カバーと、前記上部カバーと下部カバーを固定するロック手段とを含んでなり、集塵袋が下部カバーの側壁上端部を覆って上部カバーの内壁と下部カバーの側壁の間に固定されることを特徴とする。
【０００８】
また、前記上部カバーと下部カバーが密閉して微細ほこりが排出されないように、前記挿入溝の内側にパッキングをさらに備えることが好ましい。
【０００９】
また、前記ロック手段は脱着可能なクランプを使うことが好ましい。
【図面の簡単な説明】
【００１０】
【図１】本発明による集塵袋結合装置の斜視図である。
【図２】本発明による集塵袋結合装置の正面図である。
【図３】本発明による集塵袋結合装置の縦断面図である。
【図４】本発明による汚物の収去を示した状態図である。
【図５】本発明による汚物の排出を示した状態図である。
【図６】本発明による電気掃除機の使用状態図である。
【図７】図６の縦断面図である。
【発明を実施するための形態】
【００１１】
以下、添付図面を参照して本発明について詳細に説明する。この説明に先たち、本明細書及び請求範囲に使用された用語や単語は通常的または辞書的な意味に限定して解釈されてはいけなく、発明者はその自分の発明を最良の方法で説明するために用語の概念を適切に定義することができるという原則に従って本発明の技術的思想に合致する意味及び概念に解釈されなければならない。よって、本明細書に記載した実施例と図面に示された構成は本発明の実施例に過ぎないだけで本発明の技術的思想を全て代弁するものではないので、本出願の時点でこれらを取り替えることができる多様な均等物と変形例があり得ることを理解しなければならない。
【００１２】
本発明は、ほこり及び汚物を内部に捕集する集塵袋を集塵装置の下部に装着するための結合装置において、上部が集塵装置１の下部と垂直に連通し、下部が開放した円筒状に形成され、下端部に垂直に挿入溝１１が形成されて内壁１２と外壁１３が備えられる上部カバー１０と、上部が開放した円筒状に形成され、側壁２１が前記挿入溝１１に挿入され、上部カバー１０の内壁１２の下端部が内側収容空間Ｂの底面に接するように挿入される下部カバー２０と、前記上部カバー１０と下部カバー２０を固定するロック手段３０とを含んでなり、集塵袋Ａが下部カバー２０の側壁２１の上端部を覆って上部カバーの内壁１２と下部カバーの側壁２１の間に固定されることを特徴とする。
【００１３】
また、前記上部カバー１０と下部カバー２０が密閉して微細ほこりが排出されないように、前記挿入溝１１の内側にパッキング４０をさらに備えることが好ましい。
【００１４】
また、前記ロック手段３０は脱着可能なクランプを使うことが好ましい。
【００１５】
以下、本発明による“電気掃除機の集塵袋結合装置"１００の構成及び作用について添付図面を参照しながら詳細に説明する。
【００１６】
図１は本発明による集塵袋結合装置の斜視図、図２は本発明による集塵袋結合装置の正面図、図３は本発明による集塵袋結合装置の縦断面図、図４は本発明による汚物の収去を示した状態図、図５は本発明による汚物の排出を示した状態図、図６は本発明による電気掃除機の使用状態図、図７は図６の縦断面図である。
【００１７】
図１〜図３に示すように、本発明による電気掃除機の集塵袋結合装置１００は、上部が集塵装置１の下部と垂直に連通し、下部が開放した円筒状に形成され、下端部に垂直に挿入溝１１が形成されて内壁１２と外壁１３が備えられる上部カバー１０と、上部が開放した円筒状に形成され、側壁２１が前記挿入溝１１に挿入され、が上部カバー１０の内壁１２の下端部が内側収容空間Ｂの底面に接するように挿入される下部カバー２０と、前記上部カバー１０と下部カバー２０を固定するロック手段３０とを含んでなることを特徴とする。
【００１８】
前記集塵装置１は、外部から空気とともにほこり及び汚物が流入して内部で空気とともに回転し、汚物は下部に落ち、側面または上部に空気だけ排出されるサイクロン集塵装置を使うことが好ましい。
【００１９】
前記上部カバー１０は、上部が集塵装置１の下部と垂直に連通し、下部が開放した円筒状に形成され、下端部に垂直に挿入溝１１が形成されて内壁１２と外壁１３が備えられることが好ましい。
【００２０】
また、下部カバー２０は、上部が開放した円筒状に形成され、側壁２１が前記挿入溝１１に挿入され、上部カバー１０の内壁１２の下端部が汚物が収容される内側収容空間Ｂの底面に接するように挿入されることが好ましく、前記側壁２１は前記挿入溝１１に挿入されない部分の外周面と上部カバー外壁１３の外周面と一致するようにすることが好ましい。
【００２１】
また、前記ロック手段３０は脱着可能なクランプを使い、一側が上部カバー１０の外壁１２の外側に固定され、他側が下部カバー２０の側壁２１の外周面に固定されることで、下部カバー２０の側壁２１が上部カバー１０の挿入溝１１の内部に挿入して密着することができるようにすることが好ましく、ラッチ（ＬＡＴＣＨ）またはスプリングが挿入されたファスナー（ＦＡＳＴＥＮＥＲ）を使っても構わない。参考として、前記クランプは大韓民国登録実用新案第２０−２３６２３７号などにその構造が開示されている。
【００２２】
一方、集塵袋Ａは広く使われる従量制ごみ袋及びビニル袋などを使い、集塵袋がＡが下部カバー２０の側壁２１の上端部を覆って上部カバーの内壁１２と下部カバーの側壁２１の間に固定できるようにすることが好ましい。
【００２３】
また、前記上部カバー１０と下部カバー２０が密閉して微細ほこりが排出されないように、前記挿入溝１１の内側にパッキング４０をさらに備えることが好ましい。
【００２４】
図４に示したように、前記集塵装置１は、装着されたモーターが高速で回転することによって発生する吸入力によって外部から空気とともにほこり及び汚物が流入して内部で空気とともに回転し、汚物は上部カバー１０と下部カバー２０の内部収容空間に落ち、空気は側面または上部に排出されるように構成される。前記収容空間の密閉力が低下すれば、発生した吸入力によって集塵袋が収容空間の底面に密着することができなくて脹れるので、効率的な汚物の収納ができなくなる。
【００２５】
したがって、前記上部カバー１０の挿入溝１１の内側にシリコンまたは合成樹脂材のパッキング４０を挿入して集塵袋Ａを下部カバー２０の側壁２１の上端部とパッキング４０の間に把持して圧搾することで収容空間の密閉力を向上させるようにすることが好ましく、上部カバー１０の内壁１２の下端部が内側収容空間Ｂの底面に接するように備えられて集塵袋Ａの側面を支持し、集塵装置１によって発生する回転する空気によって汚物が集塵袋Ａの側面を打撃して孔が生じないようにすることが好ましい。
【００２６】
図５に示したように、本発明は、上部カバー１０と下部カバー２０の外周面に備えられたロック手段３０によって脱着可能となるように結合される。使用者が集塵袋Ａの交換が必要であると判断されるときにロック手段３０を分離して上部カバー１０と下部カバー２０を分離し、下部カバー２０の内側に汚物が収容された集塵袋Ａを効果的に分離して排出することができるようになる。
【００２７】
また、図６及び図７に示したように、本発明による集塵袋結合装置１００は、モーターとファンとフィルターを備えた電気掃除機に適用だれる。具体的に、前記電気掃除機は、汚物投入口２と、前記汚物投入口２に空気とともにほこり及び汚物が流入して内部で空気とともに回転し、汚物は下部に落ちるようになり、側面または上部に空気だけ排出するサイクロン集塵装置１と、使用者が掃除しようとする所を連結する案内管とを含むことができる。この場合、本発明による集塵袋結合装置１００はサイクロン集塵装置１の下部に垂直に連通して設置され、下部カバー２０の底面にキャスターをさらに備えることにより、自由に移動可能であるようにすることもできる。
【００２８】
このように、本発明は、上部が集塵装置１の下部と垂直に連通し、下部が開放した円筒状に形成され、下端部に垂直に挿入溝１１が形成されて内壁１２と外壁１３が備えられる上部カバー１０と、上部が開放した円筒状に形成され、側壁２１が前記挿入溝１１に挿入され、上部カバー１０の内壁１２の下端部が内側収容空間Ｂの底面に接するように挿入される下部カバー２０と、前記上部カバー１０と下部カバー２０を固定するロック手段３０とを含んでなり、集塵袋Ａが下部カバー２０の側壁２１の上端部を覆って上部カバーの内壁１２と下部カバーの側壁２１の間に固定される“電気掃除機の集塵袋結合装置"１００に関するもので、当業者にとっては本発明の思想及び範疇を逸脱しない範囲内で本発明の説明を考慮して充分に変更、変換、置換及び取替が可能であり、上述した実施例にだけ限定されるものでない。
【産業上の利用可能性】
【００２９】
上述したような本発明によれば、上部が集塵装置の下部と垂直に連通し、下部が開放した円筒状に形成され、下端部に垂直に挿入溝が形成されて内壁と外壁が備えられる上部カバーと、上部が開放した円筒状に形成され、側壁が前記挿入溝に挿入され、上部カバーの内壁下端部が内側収容空間の底面に接するように挿入される下部カバーと、前記上部カバーと下部カバーを固定するロック手段とを含んでなり、集塵袋が下部カバーの側壁上端部を覆って上部カバーの内壁と下部カバーの側壁の間に固定される方法であって、集塵装置の下部に落下して流入する汚物が集塵容器の内部に結合された一般のごみ袋に収容されることで、使用者が容易に集塵袋を分離して排出するようにする効果がある。
【符号の説明】
【００３０】
１００    集塵袋結合装置
Ａ    集塵袋
Ｂ    収容空間
１    集塵装置
１０    上部カバー
１１    挿入溝
１２    内壁
１３    外壁
２０    下部カバー
２１    側壁
３０    ロック手段
４０    パッキング
【図１】
2014516740.tif 000003
【図２】
2014516740.tif 000004
【図３】
2014516740.tif 000005
【図４】
2014516740.tif 000006
【図５】
2014516740.tif 000007
【図６】
2014516740.tif 000008
【図７】
2014516740.tif 000009
【国際調査報告】
2014516740.tif 000010
2014516740.tif 000011
2014516740.tif 000012
2014516740.tif 000013